【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
拡張現実（ＡＲ）ベースのサービス提供案内デバイスであって、前記ＡＲベースのサービス提供案内デバイスは、
ディスプレイとカメラとを備えるモバイルデバイスと、
ＡＲコンテンツを、前記モバイルデバイスの前記カメラによってキャプチャされたライブビデオフィードと整合させることと、前記モバイルデバイスの前記ディスプレイ上に、前記ライブビデオフィードと整合された前記ＡＲコンテンツを表示することとを行うために、同時位置特定及びマッピング（ＳＬＡＭ）アルゴリズムを含むコンピュータビジョン（ＣＶ）処理を実施するようにプログラムされた電子プロセッサと
を備える、拡張現実（ＡＲ）ベースのサービス提供案内デバイス。
【請求項２】
整合された前記ＡＲコンテンツが、前記ＣＶ処理によって、前記ライブビデオフィードにおいて特定された関心ロケーション（ＬＯＩ）と整合された、マーカーを含む、
請求項１に記載のＡＲベースのサービス提供案内デバイス。
【請求項３】
整合された前記ＡＲコンテンツが、前記ＣＶ処理によって、前記ライブビデオフィードにおいて特定された関心ロケーション（ＬＯＩ）と整合された、アノテーションを含む、
請求項１又は２に記載のＡＲベースのサービス提供案内デバイス。
【請求項４】
前記アノテーションが、部品番号アノテーション、コンピュータ支援設計（ＣＡＤ）図面若しくはＣＡＤ図面部分、又はＣＡＤアニメーションである、
請求項３に記載のＡＲベースのサービス提供案内デバイス。
【請求項５】
前記モバイルデバイスがヘッドアップディスプレイ（ＨＵＤ）を備え、前記ディスプレイが透明ディスプレイであり、前記カメラが、前記透明ディスプレイを通して見る前記ＨＵＤのユーザの視点に対応する前記ライブビデオフィードをキャプチャするように配置され、
前記電子プロセッサが、前記ＨＵＤの前記透明ディスプレイ上に前記ライブビデオフィードを表示することなしに、前記透明ディスプレイ上に、前記ライブビデオフィードと整合された前記ＡＲコンテンツを表示するようにプログラムされた、
請求項１から４のいずれか一項に記載のＡＲベースのサービス提供案内デバイス。
【請求項６】
前記モバイルデバイスがセルラー電話（セルフォン）又はタブレットコンピュータを備え、前記ディスプレイが、前記セルフォン又は前記タブレットコンピュータの前面上に配設された不透明ディスプレイであり、前記カメラが、前記セルフォン又は前記タブレットコンピュータの反対側の裏面上に配置された後向きカメラであり、
前記電子プロセッサが、前記セルフォン又は前記タブレットコンピュータの前記不透明ディスプレイ上に、前記後向きカメラによってキャプチャされた前記ライブビデオフィードと整合された前記ＡＲコンテンツと、前記ＡＲコンテンツのアンダーレイとしての前記ライブビデオフィードとの両方を表示するようにプログラムされ、
前記モバイルデバイスがリモートの専門家と通信するために使用される、
請求項１から４のいずれか一項に記載のＡＲベースのサービス提供案内デバイス。
【請求項７】
前記電子プロセッサが、前記ＡＲコンテンツを、前記モバイルデバイスの前記カメラによって作り出された前記ライブビデオフィードの代わりに使用されるプレビュービデオと整合させるために、前記ＣＶ処理を実施することと、前記モバイルデバイスの前記ディスプレイ上に、前記プレビュービデオと整合された前記ＡＲコンテンツと、前記ＡＲコンテンツのアンダーレイとして表示される前記プレビュービデオとの両方を同時に表示することとによって、サービス提供プレビューを実施するようにさらにプログラムされた、
請求項１から６のいずれか一項に記載のＡＲベースのサービス提供案内デバイス。
【請求項８】
前記電子プロセッサが、
前記ＡＲコンテンツを、前記モバイルデバイスの前記カメラによって作り出された前記ライブビデオフィードと整合させるために、前記ＣＶ処理を実施するようにプログラムされた、サーバコンピュータと、
前記サーバコンピュータに、前記モバイルデバイスの前記カメラによって作り出された前記ライブビデオフィードを送信することと、前記サーバコンピュータから、前記ライブビデオフィードと整合された前記ＡＲコンテンツを受信することと、前記モバイルデバイスの前記ディスプレイ上に、前記ライブビデオフィードと整合された前記ＡＲコンテンツを表示することとを行うようにプログラムされた、前記モバイルデバイスのプロセッサと
を備える、
請求項１から７のいずれか一項に記載のＡＲベースのサービス提供案内デバイス。
【請求項９】
前記ＡＲコンテンツの少なくとも一部分を、ユーザ入力によってサービスコールの記録されたビデオにおいて特定された少なくとも１つの関心ロケーション（ＬＯＩ）と整合させることを含む、前記ＡＲコンテンツを前記サービスコールの前記記録されたビデオと整合させることを含む動作によって、前記ＡＲコンテンツを生成するために、ＣＶ処理を実施するようにプログラムされたコンピュータをさらに備える、
請求項１から８のいずれか一項に記載のＡＲベースのサービス提供案内デバイス。
【請求項１０】
拡張現実（ＡＲ）ベースのサービス提供案内方法であって、前記ＡＲベースのサービス提供案内方法は、
コンピュータを使用して、サービスコールの記録されたビデオにおける少なくとも１つの関心ロケーション（ＬＯＩ）を特定する、前記コンピュータにおけるユーザ入力を受信する動作と、ＡＲコンテンツの部分を前記少なくとも１つのＬＯＩと整合させることを含む、前記ＡＲコンテンツを前記サービスコールの前記記録されたビデオと整合させるためにコンピュータビジョン（ＣＶ）処理を実施する動作とを有する、ＡＲコンテンツをオーサリングするステップと、
電子プロセッサ、及びディスプレイとカメラとを備えるモバイルデバイスを使用して、オーサリングされた前記ＡＲコンテンツを、前記モバイルデバイスの前記カメラによって作り出されたライブビデオフィードと整合させるために、前記電子プロセッサを使用してコンピュータビジョン（ＣＶ）処理を実施するステップと、前記モバイルデバイスの前記ディスプレイ上に、前記ライブビデオフィードと整合されたオーサリングされた前記ＡＲコンテンツを表示するステップとを有する、オーサリングされた前記ＡＲコンテンツを提示するステップと
を有する、拡張現実（ＡＲ）ベースのサービス提供案内方法。
【請求項１１】
前記少なくとも１つのＬＯＩと整合された前記ＡＲコンテンツの前記部分が、部品番号アノテーション、コンピュータ支援設計（ＣＡＤ）図面アノテーション、及びＣＡＤアニメーションアノテーションのうちの１つ又は複数を含む、
請求項１０に記載のＡＲベースのサービス提供案内方法。
【請求項１２】
前記モバイルデバイスがヘッドアップディスプレイ（ＨＵＤ）を備え、前記ディスプレイが透明ディスプレイであり、前記カメラが、前記透明ディスプレイを通して見る前記ＨＵＤのユーザの視点に対応する前記ライブビデオフィードをキャプチャするように配置され、オーサリングされた前記ＡＲコンテンツを提示するステップが、
前記ＨＵＤの前記透明ディスプレイ上に前記ライブビデオフィードを表示することなしに、前記透明ディスプレイ上に、前記ライブビデオフィードと整合された前記ＡＲコンテンツを表示するステップ
を有する、請求項１０又は１１に記載のＡＲベースのサービス提供案内方法。
【請求項１３】
前記モバイルデバイスがセルラー電話（セルフォン）又はタブレットコンピュータを備え、前記ディスプレイが、前記セルフォン又は前記タブレットコンピュータの前面上に配設された不透明ディスプレイであり、前記カメラが、前記セルフォン又は前記タブレットコンピュータの反対側の裏面上に配置された後向きカメラであり、オーサリングされた前記ＡＲコンテンツを前記提示するステップが、
前記セルフォン又は前記タブレットコンピュータの前記不透明ディスプレイ上に、前記後向きカメラによってキャプチャされた前記ライブビデオフィードと整合された前記ＡＲコンテンツと、前記ＡＲコンテンツのアンダーレイとしての前記ライブビデオフィードとの両方を表示するステップ
を有し、
前記モバイルデバイスがリモートの専門家と通信するために使用される、
請求項１０又は１１に記載のＡＲベースのサービス提供案内方法。
【請求項１４】
前記電子プロセッサと前記モバイルデバイスとを使用して、オーサリングされた前記ＡＲコンテンツを、前記モバイルデバイスの前記カメラによって作り出された前記ライブビデオフィードの代わりに使用されるプレビュービデオと整合させるために、前記ＣＶ処理を実施することと、前記モバイルデバイスの前記ディスプレイ上に、前記プレビュービデオと整合されたオーサリングされた前記ＡＲコンテンツと、オーサリングされた前記ＡＲコンテンツのアンダーレイとして表示される前記プレビュービデオとの両方を同時に表示することとによって、サービス提供プレビューを実施するステップ
をさらに有する、請求項１０から１３のいずれか一項に記載のＡＲベースのサービス提供案内方法。
【請求項１５】
前記電子プロセッサは、オーサリングされた前記ＡＲコンテンツを、前記カメラによって作り出された前記ライブビデオフィードと整合させるために前記ＣＶ処理を実施するために使用されるサーバコンピュータと、前記モバイルデバイスの前記ディスプレイ上に、前記ライブビデオフィードと整合されたオーサリングされた前記ＡＲコンテンツを表示するために使用される前記モバイルデバイスのプロセッサとを備え、前記ＡＲベースのサービス提供案内方法は、
前記モバイルデバイスから前記サーバコンピュータに前記ライブビデオフィードを通信するステップと、
前記サーバコンピュータから前記モバイルデバイスに前記ライブビデオフィードと整合されたオーサリングされた前記ＡＲコンテンツを通信するステップと
をさらに有する、請求項１０から１４のいずれか一項に記載のＡＲベースのサービス提供案内方法。